(57)【特許請求の範囲】
【請求項１】
床面に付着した液体を採取するための液体サンプリング装置であって、
前記液体を収容するための収容体と、
前記収容体を保持する収容体ホルダと、
管状で、一端面から所定の高さの位置に吸い込み孔が形成され、他端部が前記収容体内に配置された吸い込み管と、
前記収容体ホルダに取り付けられ、前記収容体内の空気を吸い込む吸引具と、
を備え、前記吸い込み管の一端面を前記床面に当てて、前記吸引具で前記空気を吸い込むと、前記液体が前記吸い込み管の吸い込み孔から吸い込まれて前記収容体に収容される、
ことを特徴とする液体サンプリング装置。
【請求項２】
前記収容体と前記吸い込み管とが、前記収容体ホルダと前記吸引具に対して着脱自在となっている、
ことを特徴とする請求項１に記載の液体サンプリング装置。
【請求項３】
所定容量の前記液体が前記収容体に収容されたことを示す指示手段を備える、
ことを特徴とする請求項１または２のいずれか１項に記載の液体サンプリング装置。
【請求項４】
前記吸い込み管の一端側に前記床面に吸着する吸盤が設けられ、該吸盤の側面に前記吸い込み孔が形成されている、
ことを特徴とする請求項１から３のいずれか１項に記載の液体サンプリング装置。
【請求項５】
前記吸盤内に空気を送る離脱手段を備える、
ことを特徴とする請求項４に記載の液体サンプリング装置。
【請求項６】
前記吸い込み管に装着可能で、タンク内の液体に前記吸い込み管を浮かせる浮揚体を備える、
ことを特徴とする請求項１から５のいずれか１項に記載の液体サンプリング装置。
【発明の詳細な説明】
【技術分野】
【０００１】
この発明は、液体の放射線量を測定などするために液体をサンプリング・採取する液体サンプリング装置に関し、特に、床面に付着した液体のサンプリングに適した液体サンプリング装置に関する。
【背景技術】
【０００２】
例えば、原子力発電所における管理区域内で万一、配管やタンク類から水などの液体が床面に漏洩した場合、漏洩した液体に対して直ちに放射線（放射能）測定を行う必要がある。すなわち、漏洩現場で放射線測定を行ったり、漏洩した液体をポリ瓶などに採取して分析したりする必要がある。そして、床面の漏液をポリ瓶などに採取する際には、従来、スポイトで漏液を吸って採取したり、紙ウエスなどに吸水させて手で絞って採取したりしていた。
【０００３】
一方、ごく少量のトリチウム含有被検体を対象に、高精度でかつ短時間でトリチウムを正確に検査可能、というトリチウム検査装置が知られている（例えば、特許文献１参照。）。この装置は、平板体の付着用面が冷却され、付着用面に供給されたトリチウム含有被検体中の水蒸気が、付着用面上で凝縮あるいは凝固して被検体層が形成されて、β線検出装置によって被検体層から発せられるβ線を検出するものである。
【先行技術文献】
【特許文献】
【０００４】
【特許文献１】特開２００７−２１８８２７号公報
【発明の概要】
【発明が解決しようとする課題】
【０００５】
ところで、床面に漏洩した液体をスポイトで吸い取る場合、スポイトでは一度に少量しか吸い取れないため、分析するのに要する量だけ吸い取るには手間と時間とを要する。また、紙ウエスなどに吸水させて手で絞って採取する場合、ゴム手袋などを着用する必要があり、作業が煩わしい。しかも、紙ウエスなどで床面を拭き取る際に、漏液のみではなく床面に元々付着していた放射性物質等までも拭き取ってしまう場合があり、その結果、漏液に対する正確な分析・測定ができないおそれがある。
【０００６】
一方、特許文献１のトリチウム検査装置は、被検査気体供給装置から供給された被検査気体に対するトリチウムの検査には適しているが、床に漏洩した液体であって放射線測定などが必要な液体の採取には使用することができない。
【０００７】
そこでこの発明は、床に付着した液体を放射線測定などのために適正に採取することを可能にする、液体サンプリング装置を提供することを目的とする。
【課題を解決するための手段】
【０００８】
上記課題を解決するために、請求項１の発明は、床面に付着した液体を採取するための液体サンプリング装置であって、前記液体を収容するための収容体と、前記収容体を保持する収容体ホルダと、管状で、一端面から所定の高さの位置に吸い込み孔が形成され、他端部が前記収容体内に配置された吸い込み管と、前記収容体ホルダに取り付けられ、前記収容体内の空気を吸い込む吸引具と、を備え、前記吸い込み管の一端面を前記床面に当てて、前記吸引具で前記空気を吸い込むと、前記液体が前記吸い込み管の吸い込み孔から吸い込まれて前記収容体に収容される、ことを特徴とする。
【０００９】
請求項２の発明は、請求項１に記載の液体サンプリング装置において、前記収容体と前記吸い込み管とが、前記収容体ホルダと前記吸引具に対して着脱自在となっている、ことを特徴とする。
【００１０】
請求項３の発明は、請求項１または２に記載の液体サンプリング装置において、所定容量の前記液体が前記収容体に収容されたことを示す指示手段を備える、ことを特徴とする。
【００１１】
請求項４の発明は、請求項１から３に記載の液体サンプリング装置において、前記吸い込み管の一端側に前記床面に吸着する吸盤が設けられ、該吸盤の側面に前記吸い込み孔が形成されている、ことを特徴とする。
【００１２】
請求項５の発明は、請求項４に記載の液体サンプリング装置において、前記吸盤内に空気を送る離脱手段を備える、ことを特徴とする。
【００１３】
請求項６の発明は、請求項１から５に記載の液体サンプリング装置において、前記吸い込み管に装着可能で、タンク内の液体に前記吸い込み管を浮かせる浮揚体を備える、ことを特徴とする。
【発明の効果】
【００１４】
請求項１の発明によれば、吸い込み管の一端面を床面に当てた状態で吸引具を操作することで、吸い込み管の一端面から所定の高さに形成された吸い込み孔から、液体が収容体内に吸い取られる。つまり、床面から所定の高さの液体が収容体に収容され、床面に元々付着していた放射性物質などを採取することが抑制・防止される。この結果、床に付着した液体に対する放射線測定などを正確・適正に行うことが可能となる。
【００１５】
また、吸い込み管の一端面を床面に当てて吸引具で空気を吸い込むだけで、容易かつ迅速に床面の液体を収容体に採取することができる。さらに、吸引具による空気の吸い込み量や収容体の容量を所定量に設定することで、放射線測定などの分析に要する量の液体を一度に採取することができる。
【００１６】
このようにして、床に付着した液体を放射線測定などのために適正かつ容易に採取することが可能となる。
【００１７】
請求項２の発明によれば、液体に接する収容体と吸い込み管とが、収容体ホルダと吸引具に対して着脱自在なため、液体を採取した後に、収容体と吸い込み管を収容体ホルダと吸引具から取り外して廃棄する。そして、次の採取の際に、新たな収容体と吸い込み管を収容体ホルダと吸引具に接続することで、残留物質による汚染を防止して適正な採取が可能になるとともに、収容体ホルダと吸引具を再利用することができ経済的である。
【００１８】
請求項３の発明によれば、所定容量の液体が収容体に収容されたことを示す指示手段を備えるため、所定・所望の量の液体を適正かつ容易に採取することができる。
【００１９】
請求項４の発明によれば、吸い込み管の一端側に床面に吸着する吸盤が設けられているため、吸い込み管を安定して床面に当てて、安定かつ容易に液体を採取することが可能となる。
【００２０】
請求項５の発明によれば、離脱手段で吸盤内に空気を送ることで、吸盤が床面から離脱しやすくなり、液体の採取後に吸い込み管を床面から容易かつ安全に離すことが可能となる。
【００２１】
請求項６の発明によれば、浮揚体で吸い込み管を液体に浮かせた状態で吸引具を操作することで、タンク内の液体が収容体内に吸い取られるため、タンクの内面に元々付着していた放射性物質などを採取することが抑制・防止される。この結果、タンク内の液体に対しても放射線測定などを正確・適正に行うことが可能となる。
【図面の簡単な説明】
【００２２】
【図１】この発明の実施の形態１に係る液体サンプリング装置を示す正面断面図である。
【図２】図１の液体サンプリング装置の収容体周辺を示す拡大図である。
【図３】図１の液体サンプリング装置の収容体ホルダの左側面図（ａ）と右側面図（ｂ）と底面図（ｃ）である。
【図４】図１の液体サンプリング装置の吸盤周辺を示す拡大図である。
【図５】図４の吸盤の底面図である。
【図６】図４において、着脱コネクタによる接続を解除した状態を示す図である。
【図７】この発明の実施の形態２において、吸い込み管に浮揚体を装着した状態を示す図である。
【図８】この発明の実施の形態２における液体サンプリング装置の使用状態を示す概念図である。
【発明を実施するための形態】
【００２３】
以下、この発明を図示の実施の形態に基づいて説明する。
【００２４】
（実施の形態１）
図１は、この実施の形態に係る液体サンプリング装置１を示す正面断面図である。この液体サンプリング装置１は、床面Ｇに漏洩、付着した水や油などの液体Ｒを採取するための装置であり、主として、収容体２と、収容体ホルダ３と、吸い込み管４と、吸引具５と、を備えている。ここで、この実施の形態では、原子力発電所の管理区域内において、配管やタンク類から水などの液体Ｒが床面Ｇに漏洩し、漏洩した液体Ｒに対して放射線測定などの分析を行うために、液体Ｒを採取する場合について主として説明する。
【００２５】
収容体２は、液体Ｒを収容するための容器で、既存・市販のポリエチレン製ボトル（ポリ瓶）で構成され、図２に示すように、略有底円筒状の容器本体２１の開口部（キャップ装着部）２１１にキャップ２２が取り付けられている。また、開口部２１１内には、ゴム中栓２３が装着され、このゴム中栓２３とキャップ２２との中央部に、後述する吸い込み管４の流出管４２を挿入するための貫通穴が形成されている。この収容体２の容量は、放射線測定などの分析に要する量の液体Ｒを収容できるように設定されている。
【００２６】
収容体ホルダ３は、収容体２を保持するホルダであり、硬質プラスチックで構成され、図３に示すように、断面が半円弧状の２つのホルダ体３１、３２を合わせて略有底円筒状に形成されている。また、ホルダ体３１、３２の一方の接合面部は、複数の蝶番３３によって開閉自在に接続され、他方の接合面部には、留め金具３４が複数取り付けられている。そして、留め金具３４を外してホルダ体３１、３２を開け、収容体２を収容してホルダ体３１、３２を閉め、留め金具３４を留めることで収容体２を保持する。
【００２７】
収容体ホルダ３の内径は、収容体２の外径よりも大きく設定され、収容体ホルダ３の高さは、収容体２の容器本体２１の高さよりもやや小さく設定され、また、ホルダ体３１、３２のそれぞれの内面には、ゴム製のパッド３５、３６が配設されている。そして、図２に示すように、収容体２の底面を収容体ホルダ３の底部３７に当ててホルダ体３１、３２を閉めた際に、パッド３５、３６で収容体２を所定強度で把持・保持し、かつ、収容体２の容器本体２１の一部（収容体２の肩部２ａ）が収容体ホルダ３から突出する。
【００２８】
また、底部３７の上面側に平板状の連結板３８が接続され、この連結板３８に対してホルダ体３１、３２（底部３７）が開閉自在となっている。例えば、一方のホルダ体３１、３２が連結板３８に固定され、他方のホルダ体３１、３２が蝶番３３を介して回動することで、開閉自在となっている。さらに、連結板３８の上面側には、複数のネジ孔３８ａが形成されている。
【００２９】
吸い込み管４は、プラスチック製の管状体で、一端面から所定の高さの位置に吸い込み孔４１２ａが形成され、他端部が収容体２内に配置されたものである。すなわち、吸盤管４１と流出管４２とが、逆止弁４３と着脱コネクタ４４とを介して接続されて、構成されている。
【００３０】
吸盤管４１は、図４に示すように、管体４１１の一端（下端）に、つまり、吸い込み管４の一端側に、床面Ｇに吸着する吸盤４１２が設けられ、該吸盤４１２の側面に管体４１１に連通する吸い込み孔４１２ａが、図５に示すように、複数形成されている。この吸い込み孔４１２ａは、吸い込み管４の一端面である吸盤４１２の吸着面４１２ｂから所定の高さの位置に形成され、床面Ｇに漏洩、付着した液体Ｒに浸り、かつ、床面Ｇよりも上の液体Ｒのみを採取するようになっている。
【００３１】
流出管４２の一端部には、図１に示すように、ヘッド４５と接続コネクタ４６とを介して逆止弁４３が接続されている。この逆止弁４３は、図４に示すように、ダイヤフラム４３１を備えた弁であり、吸盤管４１側から吸い込まれた液体Ｒが吸盤管４１側に逆流するのを防止するものである。
【００３２】
この逆止弁４３と吸盤管４１の管体４１１の上部４１１ａとが、着脱コネクタ４４によって接離（着脱）自在に接続されている。すなわち、円管状の着脱コネクタ４４の一端部が逆止弁４３に取り付けられ、着脱コネクタ４４の他端部に吸盤管４１の上部４１１ａを挿入、引出することで、接離自在となっている。また、逆止弁４３には、吸盤管４１内に延び、側面に複数のベント孔４３２ａが形成されたベント孔付きチューブ（離脱手段）４３２が接続されている。そして、逆止弁４３と吸盤管４１とが着脱コネクタ４４で接続された状態では、吸盤管４１と流出管４２とが逆止弁４３を介して連通される。
【００３３】
一方、図６に示すように、流出管４２側を床面Ｇから引き上げたりして（吸盤管４１から離したりして）着脱コネクタ４４による逆止弁４３と吸盤管４１との接続を解除した状態では、吸盤管４１と流出管４２との連通が解除される。これと同時に、吸盤管４１の上部４１１ａの開口およびベント孔付きチューブ４３２が露出して、吸盤管４１の開口およびベント孔付きチューブ４３２のベント孔４３２ａから吸盤４１２内に空気（外気）が送られる。これにより、吸盤４１２内の真空（負圧）が破壊されて、吸盤４１２が床面Ｇから離脱しやすくなる。
【００３４】
また、図２に示すように、吸い込み管４の他端部である流出管４２の他端部４２ａが、キャップ２２とゴム中栓２３とを貫通して収容体２内に配置され、その開口端である流出口４２ｂが、収容体２の肩部２ａ（開口部２１１）近傍に位置するように配置されている。
【００３５】
吸引具５は、収容体ホルダ３に取り付けられ、収容体２内の空気を吸い込む器具である。すなわち、図１に示すように、シリンダ５１内に、一端部にピストン５２を備えたロッド（プランジャ）５３が摺動自在に挿入され、ロッド５３の他端部にハンドル５４が取り付けられている。シリンダ５１のピストン５２側の端面には取付板５５が取り付けられ、この取付板５５のボルト５６が連結板３８のネジ孔３８ａに締め付けられて、吸引具５が収容体ホルダ３に着脱自在に取り付けられている。
【００３６】
シリンダ５１の容量、つまり、吸引具５による空気の吸い込み量は、放射線測定などの分析に要する量の液体Ｒを一度の吸引で採取できるように設定されている。また、ピストン５２には、気密性を保つためのＯリング５７が複数装着されている。
【００３７】
このような吸引具５と収容体２とは、吸引ユニット６を介して接続されている。この吸引ユニット６は、第１の吸引チューブ６１が吸引用逆止弁６２、閉止弁６３および検知器（指示手段）６４を介して吸引管６５に接続されている。
【００３８】
第１の吸引チューブ６１の一端部は、吸引具５のシリンダ５１の取付板５５側（ピストン５２と取付板５５との間）に挿入、配置され、他端部が吸引用逆止弁６２に接続されている。この吸引用逆止弁６２は、第１の吸引チューブ６１側（シリンダ５１側）から流れる空気のみを外部に排出し、吸引管６５側（収容体２側）から流れる空気を外部に排出させない逆止弁である。
【００３９】
このような吸引用逆止弁６２は、収容体ホルダ３の外側面に固定され、吸引コネクタ６６および第２の吸引チューブ６７を介して閉止弁６３の一端部に接続されている。この閉止弁６３は、吸引管６５から流入した液体Ｒが吸引具５側に流入するのを防止するための仕切弁である。また、吸引コネクタ６６は、吸引用逆止弁６２と閉止弁６３（第２の吸引チューブ６７）とを接離自在に接続するコネクタである。
【００４０】
閉止弁６３の他端部は、第３の吸引チューブ６８を介して検知器６４の一端部に接続されている。この検知器６４は、所定容量の液体Ｒが収容体２に収容されたことを示すものである。すなわち、図２に示すように、吸引管６５などよりも大径の透明管で構成され、水平に延びて（吸い込み管４に対して垂直に）配設され、下部に赤色の指示線６４１が設けられている。そして、後述するようにして液体Ｒが収容体２の底部２ｂに達して所定容量が収容されると、液体Ｒが吸引管６５にオーバーフローして検知器６４に流入し、液体Ｒが指示線６４１に達すると外部から指示線６４１が太く見える。これにより、所定量の液体Ｒが収容体２に収容されたことが目視確認でき、その後、吸引具５による吸引を停めて、液体Ｒがシリンダ５１側に流入するのを防止できるものである。
【００４１】
このような検知器６４の他端部が吸引管６５の一端部に接続されている。この吸引管６５は、吸い込み管４の流出管４２よりも小径の管で、図２に示すように、流出管４２を貫通して流出管４２内を通って流出管４２と同軸に延びに、他端部である開口端部６５ａが収容体２の底部２ｂに位置している。ここで、開口端部６５ａと収容体２の底面との間には隙間を有し、収容体２内の空気を吸い込めるようになっている。
【００４２】
また、開口端部６５ａの位置は、所定容量の液体Ｒが収容体２に収容されるように設定され、この実施の形態では、収容体２の底部２ｂと面一に設定されている。すなわち、所定容量の液体Ｒが収容体２に収容されると、液体Ｒが開口端部６５ａから吸引管６５にオーバーフローして、上記のように検知器６４に流入するようになっている。
【００４３】
このように、流出管４２と吸引管６５とによって二重管が構成され、吸引管６５で収容体２内の空気を吸引し、流出管４２で液体Ｒを吸い上げるものである。すなわち、上記のようにして吸盤管４１と流出管４２とが連通された状態で、吸盤４１２の吸着面４１２ｂ（吸い込み管４の一端面）を床面Ｇに当て、吸引具５のピストン５２を引いて吸引を行う。これにより、収容体２内の空気が吸引管６５に流入し、検知器６４、閉止弁６３、吸引用逆止弁６２などを介してピストン５２内に吸い込まれて収容体２内が真空（負圧）となる。そして、吸い込み管４内も真空となって、液体Ｒが吸い込み孔４１２ａから吸い込まれ、吸盤管４１や逆止弁４３などを通過して流出管４２の流出口４２ｂから吐出し、収容体２に収容される。
【００４４】
このような収容体２と吸い込み管４とは、収容体ホルダ３と吸引具５に対して着脱自在となっている。すなわち、吸引コネクタ６６を外して吸引用逆止弁６２と閉止弁６３（第２の吸引チューブ６７）とを切り離し、留め金具３４を外して収容体２を収容体ホルダ３から取り出すことで、収容体２と吸い込み管４とを取り外せるものである。
【００４５】
また、収容体２、吸い込み管４、吸引管６５、検知器６４、第３の吸引チューブ６８、閉止弁６３および第２の吸引チューブ６７は、収容体２側セットとして予めセット化（一体化）されている。一方、収容体ホルダ３、吸引具５、第１の吸引チューブ６１、吸引用逆止弁６２および吸引コネクタ６６も、収容体ホルダ３側セットとして予めセット化されている。
【００４６】
次に、このような構成の液体サンプリング装置１の使用方法および作用などについて説明する。
【００４７】
まず、収容体ホルダ３の留め金具３４を外してホルダ体３１、３２を開け、収容体２を収容してホルダ体３１、３２を閉める。続いて、吸引コネクタ６６に第２の吸引チューブ６７を接続して閉止弁６３を閉弁し、吸引具５のピストン５２を押し込んでシリンダ５１内の空気を吸引用逆止弁６２から外部に排出した後に、閉止弁６３を開弁する。
【００４８】
次に、図１に示すように、吸い込み管４の吸盤４１２を液体Ｒ内に浸して吸着面４１２ｂを床面Ｇに当てて吸着させ、吸引具５のピストン５２を引いて吸引を行う。これにより、上記のようにして、液体Ｒが吸い込み孔４１２ａから吸い込まれ、吸い込み管４を通過して流出管４２の流出口４２ｂから吐出し、収容体２に収容される。そして、所定容量の液体Ｒが収容体２に収容されて検知器６４の指示線６４１が太く見えたら、吸引具５による吸引を停める。
【００４９】
このようにして液体Ｒの採取が終了したら、吸い込み管４の吸盤４１２を床面Ｇから離して液体サンプリング装置１を外す。この際、吸盤４１２が床面Ｇから離れにくい場合には、上記のように、流出管４２側を床面Ｇから引き上げたりして、吸盤管４１の上部４１１ａの開口およびベント孔付きチューブ４３２を露出して、吸盤４１２内に空気を送ることで、吸盤４１２が床面Ｇから離れやすくなる。
【００５０】
次に、閉止弁６３を閉弁して吸引コネクタ６６を外し、留め金具３４を外してホルダ体３１、３２を開け、収容体２側セットを取り出してビニル袋などに収める。そして、収容体２から液体Ｒを取り出した後は、収容体２側セットは、汚染されている可能性があるため廃棄し、収容体ホルダ３側セットは、再利用するものである。
【００５１】
以上のように、この液体サンプリング装置１によれば、吸い込み管４の吸盤４１２を床面Ｇに当てた状態で吸引具５を操作することで、吸盤４１２の吸着面４１２ｂから所定の高さに形成された吸い込み孔４１２ａから、液体Ｒが収容体２内に吸い取られる。つまり、床面Ｇから所定の高さの液体Ｒが収容体２に収容され、床面Ｇに元々付着していた放射性物質などを採取することが抑制・防止される。この結果、床に漏洩、付着した液体Ｒに対する放射線測定などを正確・適正に行うことが可能となる。
【００５２】
また、吸い込み管４の吸盤４１２を床面Ｇに当てて吸引具５で空気を吸い込むだけで、容易かつ迅速に床面Ｇの液体Ｒを収容体２に採取することができる。さらに、吸引具５による空気の吸い込み量や収容体２の容量を所定量に設定することで、放射線測定などの分析に要する量の液体Ｒを一度に（一回の吸引で）採取することができる。
【００５３】
また、液体Ｒに接する収容体２側セットが収容体ホルダ３側セットに対して着脱自在なため、液体Ｒを採取した後に、収容体２側セットを収容体ホルダ３側セットから取り外して廃棄する。そして、次の採取の際に、新たな収容体２側セットを収容体ホルダ３側セットに接続することで、一度使った収容体２側セットへの残留物質による汚染を防止して、適正な採取が可能になるとともに、収容体ホルダ３側セットを再利用することができ経済的である。
【００５４】
また、所定容量の液体Ｒが収容体２に収容されたことを示す検知器６４を備えるため、所定・所望の量の液体Ｒを適正かつ容易に採取することができる。さらに、液体Ｒを吸い込みすぎて、吸引具５などが汚染するのを防止することができる。
【００５５】
また、吸い込み管４の吸盤４１２が床面Ｇに吸着するため、吸い込み管４を安定して床面Ｇに当てて、安定かつ容易に液体Ｒを採取することが可能となる。しかも、ベント孔付きチューブ４３２などを露出させて吸盤４１２内に空気を送ることで、吸盤４１２が床面Ｇから離脱しやすくなり、液体Ｒの採取後に吸い込み管４を床面Ｇから容易かつ安全に離すことが可能となる。
【００５６】
以上のようにして、床に漏洩、付着した液体Ｒを放射線測定などのために適正かつ容易に採取することが可能となる。
【００５７】
（実施の形態２）
図７は、この実施の形態において吸い込み管４に浮揚体７を装着した状態を示す図である。この実施の形態では、タンク内の液体Ｒに吸い込み管４を浮かせる浮揚体７を備える点で、実施の形態１と構成が異なり、実施の形態１と同等の構成につては、同一符号を付することでその説明を省略する。ここで、図８に示すように、タンク１０１が原子力発電所の機器ドレン・床ドレン１０２などのサンプピットであり、床面Ｇよりも下方に形成されており、このタンク１０１の表面近くの液体（浮遊した油等）Ｒを採取する場合について説明する。また、サンプリング配管１０３の一端部がタンク１０１の中央部の液体Ｒ内に配置され、サンプリング配管１０３に配設されたサンプリングポンプ１０４を起動してサンプリング弁１０５を開弁することで、タンク１０１の中央部の液体Ｒを採取できるようになっている。
【００５８】
浮揚体７は、発泡スチロールで構成されたブロック状で、中央部に挿入孔７ａが形成され、この挿入孔７ａに流出管４２が圧入されて吸い込み管４に装着されている。この浮揚体７の大きさは、タンク１０１内の液体Ｒに少なくとも吸い込み管４を浮かせられるように設定されている。また、吸い込み管４の逆止弁４３には、実施の形態１の吸盤管４１に代わって細長い管状のノズル４７が接続されている。すなわち、吸い込み管４の先端部（一端部）は着脱自在で、吸盤管４１を取り外してノズル４７を取り付けられるようになっている。
【００５９】
このノズル４７の先端面から所定の高さの位置には吸い込み孔（図示せず）が形成され、ノズル４７の長さは、浮揚体７によって吸い込み管４をタンク１０１内の液体Ｒに浮かせた際に、タンク１０１の表面近くの液体Ｒを吸引、採取できるように設定されている。
【００６０】
そして、タンク１０１の表面近くの液体Ｒを採取するには、図８に示すように、ノズル４７と浮揚体７を液体Ｒ内に挿入する。これにより、吸い込み管４が液体Ｒに浮いて、ノズル４７の先端部（吸引部）がタンク１０１の表面近くの液体Ｒに位置する。この状態で実施の形態１と同様に、吸引具５を操作してタンク１０１の表面近くの液体Ｒを収容体２内に吸い取るものである。
【００６１】
このように、この実施の形態によれば、浮揚体７で吸い込み管４を液体Ｒに浮かせた状態で吸引具５を操作することで、タンク１０１の表面近くの液体Ｒが収容体２内に吸い取られるため、タンク１０１の内面に元々付着していた放射性物質や中央部に沈殿している物質などを採取することが抑制・防止される。この結果、タンク１０１の表面近くの液体Ｒに対しても放射線測定などを正確・適正に行うことが可能となる。また、吸い込み管４を液体Ｒに浮かせて液体Ｒの採取を行えるため、収容体ホルダ３や吸引具５など（収容体ホルダ３側セット）が液体Ｒに接して汚染するのを防止することが可能となる。
【００６２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、流出管４２と吸引管６５とで二重管を構成しているが、それぞれ独立して収容体２内に挿入、配置してもよい。
【００６３】
また、実施の形態１では、吸い込み管４の先端部が吸盤４１２になっているが、有底筒状にし、側面に吸い込み孔（横孔）を形成してもよい。さらに、実施の形態２では、吸い込み管４の先端部がノズル４７になっているが、実施の形態１と同様に吸盤４１２（吸盤管４１）にしてもよい。また、液体サンプリング装置１をロボットに装着し、液体サンプリング装置１を遠隔操作して液体Ｒを採取してもよい。
【符号の説明】
【００６４】
１        液体サンプリング装置
２        収容体
３        収容体ホルダ
４        吸い込み管
４１      吸盤管
４１２    吸盤
４１２ａ  吸い込み孔
４１２ｂ  吸着面（一端面）
４２      流出管
４３      逆止弁
４３２    ベント孔付きチューブ（離脱手段）
４４      着脱コネクタ
４７      ノズル
５        吸引具
６        吸引ユニット
６１      第１の吸引チューブ
６２      吸引用逆止弁
６３      閉止弁
６４      検知器（指示手段）
６５      吸引管
６６      吸引コネクタ
７        浮揚体
Ｇ        床面
Ｒ        液体
【図１】
0006443154.tif 000002
【図２】
0006443154.tif 000003
【図３】
0006443154.tif 000004
【図４】
0006443154.tif 000005
【図５】
0006443154.tif 000006
【図６】
0006443154.tif 000007
【図７】
0006443154.tif 000008
【図８】
0006443154.tif 000009